(57)【要約】【課題】収納自立性を付与せしめて、各種素材や部材の収納性を簡便に且輸送を効率良くなし、特には栽培土壌を収納せしめて自立性を創出せしめ多様な培地や環境においても直根類や塊根類の野菜を簡便に育成収穫しえる栽培用収納袋の提供。【解決手段】所望の形状と収納容量で且その収納重量に対抗しうる強靭性を有する合成樹脂フィルム材を用い上部に開口部と且底部には収納に伴い平面的に展開する自立性底面が熔着形成されてなる、輸送用収納袋及び栽培用収納袋。【選択図】図３
2017024795.tif 000002
【特許請求の範囲】
【請求項１】
所要の収納容量を収納しえる内容積でその収納重量に対抗しえる強靭性と厚さからなる合成樹脂フィルム材からなり、その底部には収納に伴って平面上に展開しえる自立性底面が形成され、且その上部には開閉ファスナー若しくは閉塞紐が設けられた輸送用収納袋。
【請求項２】
所要の収納容量を収納しえる内容積で且その幅に対して長さが長い形状からなり而もその収納重量に対応しえる強靭性と厚さからなる合成樹脂フィルム材からなり、その底部には収納に伴い平面状に展開しえる自立性底面根形成されてなり、上部が開口されてなる栽培用収納袋。
【請求項３】
合成樹脂フィルム材の底部には、輸送用収納袋若しくは栽培用収納袋の底面積に等均しく、且その形状が直方形若しくは正方形で、その周縁が合成樹脂フィルム材と熔着形成されて自立性底面が形成され、而もこの熔着形成された自立性底面には、その対向方向に一条若しくは交差方向に補強熔着形成がなされてなる請求項１の輸送用収納袋若しくは請求項２の栽培用収納袋。
【請求項４】
合成樹脂フィルム材の底部に、自立性底面を連続的に熔着形成するため、自立性底面の幅若しくは長さに適合するよう合成樹脂フィルム材を調整折合させ、収納袋の実質長さに自立性底面の長さを加えて裁断し、且この自立性底面を一方側に折畳んだうえ該自立性底面の周縁と合成樹脂フィルム材とを熔着し、且自立性底面の対向方向に若しくは交叉方向に補強熔着が施されてなる請求項１乃至請求項３記載の輸送用収納袋若しくは栽培用収納袋。
【発明の詳細な説明】
【技術分野】
【０００１】  本発明は適宜素材の収納で自立性が創出され、土木素材や多重で微細な工業素材等を、僅かな開口のみで多量且連続的に収納包装しえ、或いはニンジンやゴボウ等根拡伸長する野菜類を培地内に根拡伸長させることなく培地上に立設載置して栽培しえる収納自立性を有する収納袋に存する。
【背景技術】
【０００２】  現状における収納袋若しくは包装袋は、その使用途や収納物収納重量等により、その大きさや構造並びに使用素材の性能等が特定されているものであって、一般的な食品類や小物雑貨類の包装若しくは収納はせいぜい一袋あたり０．１乃至２．０ｋｇ程度であるから、これらは主としてポリエチレンやポリプロピレン素材からなる筒状チューブを所要の長さにカットし且底部を熱シールしてなるボトムシール袋が殆んどである。
そして収納重量も多く、且形状もやや大きな場合には、強靭な性能を有するポリエチレンやポリプロピレン素材からなる所要の幅の扁平フィルム材を長さ方向に半折りのうえ、半折り部分を底部として両側をシールした所謂二方袋や、或いは２枚の扁平フィルム材を所要の長さに切断のうえ底部及び両側面をシールしてなる所謂三方袋が主に用いられている。【０００３】  更に土木資材や工業部品等の収納袋等は、その収納重量も略４０乃至６０ｋｇ／袋にも及ぶため、使用素材としてはこれら耐久性を保持し、且ポリエチレンやポリプロピレン若しくはポリ塩化ビニール等の素材を用いて作成した筒状チューブを、所要長さにカットのうえ底部を熱シールしたボトムシール袋が専ら使用されており、更には近年の異常気象における水害防止のための水防土嚢等もかかる構造からなるものである。
而してこれら収納袋や包装袋は自立性が無く、従って食品類や小物雑貨類等の包装や収納には使用者が両手で作業をせざるを得ず、更には土木資材や工業部品或いは水防土嚢等においては、開口保持と折合を防止して収納を保持させるため、少なくとも２人以上の作業者を要する問題を抱えている。【０００４】  加えて重要な課題は、今日の核家族化や少子化と塾通い、主婦の就労化等に伴う食生活の外食化や中食化等に伴う栄養バランスの欠乏を起因とするメタボリックシンドローム患者が略２０００万人を初め、認知症患者で略８００万人或いは糖尿病患者でも略７００乃至８００万人が推認されており、今後の医療費予算への重大な負担が危惧されている。
この栄養バランスの欠乏要因は、食文化の変遷によるものと考えられ、少なくとも我が国では戦前戦後を通じて主食としての米の供給が逼迫していたため野菜類を増量のために混ぜたうえ、これに僅かな野菜と漬物及び小魚等を家庭内の食卓で摂取していたため家族全員も同様のメニューであり、たん白や油脂の不足はあるもののカロリー過多は抑制されていた。
然るに戦後の経済成長に伴い、産業の拡大化と生活の豊かさに加え国際化や自由化とも相俟って多種多量の食材が国際的に供給され、且多様の加工食品の開発上市はもとより、他方における核家族化、少子化と塾通い、主婦の就労化等に伴い食生活の著しい変化、即ち食物摂取が家庭内から中食化や外食化へ急速に移行し、且ファーストフード化に加え従来まで供給の抑制された肉類、油脂類或いはチーズ等を主体とするフライドチキンやハンバーガー、ピッツァ等が中年層や若年層に異常な程に消費されるに至っている。【０００５】  ところで前記栄養バランスの欠乏によるメタボリックシンドローム等の対処には炭水化物やたん白、脂肪の摂取では無く、ミネラル分や栄養成分並びに食物繊維の摂取であって、かかるミネラル分や栄養成分及び食物繊維の摂取には野菜類に集約される。
そしてこの野菜類の消費には種類の変遷はみられるものの、洋の東西を問わず差異は無く、１人当りの年間野菜摂取量は略１２０乃至１５０ｋｇとされ、豊作物の豊作減作に係らず消費されて来ており、このことは野菜が健康維持のうえで不可欠である証しでもある。
ところで野菜は略８５乃至９５％が水分であり、且炭水化物や脂肪、たん白質等も殆んど無いが、依然として野菜類の摂取が不可避なことはミネラル分や栄養成分及び食物繊維の供紿源であることが保健食材として無視できないことにある。
即ちこのことは我が国のビタミンＡの摂取量の略６０％が、またビタミンＣの摂取量の略７２％もが野菜類によって占められ、更には野菜類に少ないとされるビタミンＢ１やＢ２でさえ、摂取量の略２２％が野菜より摂取されている。【０００６】  加えて野菜が保健食品として重要な理由はミネラル分の含有が挙げられ、この野菜の含有するミネラルの特長として、略８０％がカリウム、ナトリウム、カルシウム等の金属性ミネラルであり、且非金属製のミネラルであるリンやイオウ等は略２０％程度しか含有されてないため、摂取後に体内でアルカリ性の灰分となる。即ちアルカリ性食品となることが重要で、米を主食とする食生活では、ミネラルや栄養分等が不足気味となるため野菜は健康上からも不可欠で、特に今日のファーストフードの如きフライドチキンやハンバーガー、ピッツァ等畜肉や油脂、チーズ等を主体とする食品には多量の野菜摂取が不可欠なものの、何等の健康対策すらなされていない。更に野菜は食物繊維も摂取され、この食物繊維は消化吸収されぬ反面、効用として物理的刺激で腸の蠕動運動が促進され、且腸粘膜の新陳代謝を活発化する整腸作用もなされ、更には腸内細菌によるビタミン類の合成作用が促進されること、即ち栄養素の節約作用が発揮されるもので、このことは我が国の食生活ではビタミンＢ２が不足するにも不拘らず、Ｂ２が不足しないのは野菜の摂取量が多く腸内微生物の繁殖が促進されてＢ２が生成されて来たことによる。【０００７】  そこで発明者は野菜類の保持するミネラル分や栄養成分及び食物繊維等を多量に含有し、且根拡伸長性に優れるとともに、特有の医学的作用をも保持する野菜として人参やゴボウ、大根等の直根類野菜及び塊根類のヤマノイモが選択されるものであるが、これら野菜は栽培土壌成分次第で略１ｍ近くまで根拡伸長するものの、農業においても極度の高令化が進んでおり、根拡伸長するこれら野菜類の掘削収穫作業は実質的に不可能とされている。
これがため合成樹脂フィルム材を所要の口径と長さで且自立性を有する栽培用収納袋に、適宜の栽培土壌を収納のうえ立設せしめて播種若しくは育苗させて栽培することにより、多様な培地においても簡便能率良く収穫しえることを究明し本発明に至った。
【発明の概容】
【発明が解決しようとする課題】
【０００８】  本発明は土木資材や工業部品等の多重な収納袋や水防土嚢等に自立性を保持せしめて輸送並びに収納作業を簡便化させる収納袋、及び合成樹脂フィルム材を所要の口径と長さで且自立性を有する栽培用収納袋に栽培土壌を収納させ立設せしめて、多様な培地でも簡便能率良く栽培収穫しえる栽培用収納袋の提供にある。
【課題を解決するための手段】
【０００９】  上述の課題を解決するために本発明が採用した技術的手段は、所要の収納容量を収納しえる内容積で、その収納重量に対抗しえる強靭性と厚さからなる合成樹脂フィルム材からなる収納袋で、その底部には収納に伴って平面状に展開しえる自立性底面が形成され、且その上部には開閉ファスナー若しくは閉塞紐が取付けられてなる輸送収納袋に存し、更には所望の収納容量を収納しえる内容積と縦長形状でその収納重量に対抗しえる強靭性と厚さからなる合成樹脂フィルム材からなり、収納に伴って底部が平面状に展開しえる自立性底面が形状されてなる栽培用収納袋に存する。
【発明の効果】
【００１０】  本発明は上述の如き構成からなるため、以下の如き特有の効果が発揮される。即ち本発明の収納袋や土嚢等では所要の収納容量を収納しえる内容積で、その収納重量に対抗しえる強靭性と厚さからなる合成樹脂フィルム材で収納袋が形成されてなるため、収納使用前では曲折や折畳みが自在であるため保管性に優れるとともに、使用に際しては合成樹脂フィルム材の柔軟性により収納量に伴って袋状の形成とともに底面が略水平状に展開して自立性底面が形成されるため僅かな収納とともに、自立立設するため収納作業も開口部の僅かな開口保持のみで連続的に収納がなしえる。そして所要容量の収納後は、その上部に設けた開閉ファスナーの閉塞若しくは閉塞紐による閉塞で、実用輸送や防護使用がなしえる。
【００１１】  加えて本発明の栽培用収納袋は、所望の収納容量の栽培土嚢を収納しえる内容積と縦長形状で、その収納重量に対抗しえる強靭性と厚さからなる合成樹脂フィルム材からなり、収納に伴い底部が平面状に展開して自立性底面が形成されるよう構成されてなるため、適宜に選択された栽培土壌を収納することで底部が平面的に展開され自立性を創出するとともに、全体が縦長形状で略円筒形状に形成されるため、栽培地の土壌や土質、土壌成分等に関係なく且平坦地や傾斜地等にかかわりなく立設でき、而も収納される栽培土壌が十分な深さを以って形成されてなるため、根拡成長する直根類やヤマトイモ等を播種育成させることで十分に根拡せしめられ、而も日常の施肥や播水にも立ち作業でなしえ且収穫に際しても掘削する必要なく栽培収納袋を破袋させ若しくは栽培土嚢と共に抜袋するのみでなしえる等極めて簡単能率的栽培が可能となる。
【図面の簡単な説明】
【００１２】
【図１】輸送用収納袋の見取図である。
【図２】自立性底面が展開された輸送用収納袋の見取図である。
【図３】栽培用収納袋の見取図である。
【図４】自立性底面が展開された栽培用収納袋の見取図である。
【図５】栽培用収納袋の使用態様図である。
【図６】自立性底面の形成方法説明図である。
【発明を実施するための形態】
【００１３】  所要の収納容量を収納しえる内容積及び形状で、且その収納重量に対抗しえる強靭性を有する合成樹脂フィルム材を用い、その上部が開口状若しくは閉塞ファスナー或いは閉塞紐が取付られ、而もその底部には、収納に伴って自立性底部が平面状に展開される、輸送用収納体若しくは栽培用収納袋。
【００１４】  以下に本発明の実施例を図と共に説明すれば、図１は本発明輸送用収納袋１の見取図であって、該輸送用収納袋１は主として土木資材や工業用品部材等比較的多重で細かい収納物の輸送や保管に使用するものであって、旧来では米袋等の再利用にあてられその形状も上部が開口し且下部が縫合されたボトムシール型で、その大きさとしては横４０乃至５０ｃｍ、縦５０乃至６０ｃｍ程度であって、収納重量として略５０乃至６０ｋｇ程度のものであった。
而して今日では麻製品の生産も殆んどなされず、代って合成樹脂フィルム材や合成繊維織物が多量に生産されており、且二次加工性にも優れることから、本発明においてはその収納重量に十分対抗できる強靭性と、二次加工並びに実用使用に際しての柔軟性をも具備する素材として合成樹脂フィルム材１Ａが用いられるものであり具体的にはポリエチレンフィルムやポリプロピレンフィルム或いはポリ塩化ビニールフィルムが挙げられ、且対抗強靭性を保持させるうえから、該合成樹脂フィルム等の厚さは略０．２乃至０．５ｍｍ程度の物が好都合である。
【００１５】  そしてかかる輸送用収納袋１内に収納物をその開口部１Ｂより収納させることにより、その展開される全体形状の底部１Ｃに平面状に展開して自立性を創出させる自立性底面１Ｄが形成させるものである。反面輸送用収納袋１は収納後に多数を集合のうえ輸送したうえ積層作業や解封作業をなすものであるから、収納に伴い形成される自立性底面１Ｄも、なるべく細幅状即ち長方形状（直方形状）に形成させることが好都合である。
加えて図１より明らかな如く、本発明は底部１Ｃに収納に伴って平面上に展開する自立性底面１Ｄが、後述する如く合成樹脂フィルム材１Ａと熔着形成１Ｆされるものであるが、該自立性底面１Ｄは平面的に展開させるものの、伸長変形させぬ必要上より、収納により膨らみや変形する合成樹脂フィルム材１Ａの周長と、該自立性底面１Ｄの周長とは差異が存在するため、この周長の調整として調整折合部１０Ｂが形成されている。そして合成樹脂フィルム材１Ａの底部１Ｃに熔着形成される自立性底面１Ｄは更に延出した状態になるが、輸送用収納袋１は成可へ小型で嵩の無いコンパクト状の物が好ましく、従って延出された自立性底面１Ｄは内側に折畳み１Ｅされている。
【００１６】  図２には、輸送用収納袋１の自立性底面が展開された見取図であって、その内部に各種の素材や部材等が収納されることにより、その収納容量に対応して合成樹脂フィルム材１Ａが膨らむと同時にその底部１Ｃに熔着形成１Ｆされてなる自立性底面１Ｄも平面状に展開されるが、該自立性底面１Ｄは使用上の要請から長方形状（直方形状）に形成されるため、収納される素材や部材等も、かかる自立性底面１Ｄの幅や長さに抑制された収納状態となる。
【００１７】  他方図３は本発明の特有且特徴的使用に係るもので更に詳しくは特定農作物等の栽培用収納袋２として使用する見取図であって、本発明栽培用収納袋２は前述の如く、経済成長後の著しい食生活変化により、本来健康維持に必須の野菜類の摂取が看過され、これによりメタボリックシンドローム等成人病患者が急増の一途を辿っている。
ところで食生活の変化に伴って、従来の如き野菜重量を摂取する思考から、野菜が保持する健康維持成分、即ちミネラル分、栄養成分及び食物繊維を摂取することにある。これがためにはこれらミネラル、栄養成分及び食物繊維は略５乃至１５重量％程度であるから、これら健康維持成分を多量に含有する直根類や塊根類を、栽培土壌や土壌条件に制約されることなく、且播取や育苗はもとより収穫作業が簡便能率的になしえる栽培が早急に要望されている。
【００１８】  図３は栽培用収納袋２の見取図であって、該栽培用収納袋２は、開口部２Ｂよりその内部に栽培野菜の栽培育成に適合する栽培土壌３を収納せしめたうえ略円筒形状に膨らませるとともに、その底部２Ｃには熔着形成１Ｆされた自立性底面２Ｄが平面状に自立性底面２Ｄを形成させるものである。
そして本発明栽培用収納袋２は、その収納された栽培土壌３に、栽培土壌３内に根拡成長する直根類ヤマトイモ等を播種し若しくは育苗せしめるものであって、これら栽培野菜は順調な生育では、その根拡成長の長さが略８０乃至１００ｃｍにも及ぶため、該栽培用収納袋２の長さは略１ｍ程度で、且栽培土壌３の収納による栽培用収納袋２の口径としては、根拡成長に伴う枝根や毛根の生育土嚢部分も含めて略２０乃至２５ｃｍ程度が望まれる。
更に栽培用として収納される栽培土壌３は、栽培する野菜によっても多少栽培が異なるが、ＰＨ値で略７．４乃至７．８、土壌成分としてはその三相分布において土と略４〜５％の腐植を含む固相が５０％に液相が２５％及び気相が２５％程度で且この場合の固相の比重は略２．５乃至２．７である。
【００１９】  従って栽培用収納袋２の口径が２０ｃｍ、その長さが１ｍの場合では収納重量として略１５乃至１６ｋｇ、口径が２．５ｃｍその長さが１ｍの場合では略２４乃至２５ｋｇ程度となることから、当然に栽培用収納袋２を形成する合成樹脂フィルム材２Ａとしかかる収納重量に十分対抗しえる強靭性と且その底部２Ｃに熔着形成１Ｆされる自立性底面２Ｄが平面状に展開しえる柔軟性のものが採用される。
そして輸送用収納体１において該に説明の如く、栽培用収納袋２の底部２Ｃに形成される自立性２Ｄの周長に対して、栽培用収納袋２も形成する合成樹脂フィルム材２Ａの収納に伴う膨み等による周長分の調整のため幅方向に調整折合２０Ｂがなされている。
加えて該栽培用収納袋２も実用使用前においては成可くコンパクトに整理在庫しておく必要上から、自立性底面２Ｄは内側に折畳み２Ｅされている。
【００２０】  図４は栽培土壌３が収納され自立性底面２Ｄが展開された見取図であって、その開口部２Ｂより栽培土壌３を収納させることにより、折合されてなる合成樹脂フィルム材２Ａの調整折合２０Ｂが解放され、且合成樹脂フィルム材２Ａの膨みとともに底部２Ｃの折畳み２Ｅも引き延ばされたうえ、自立性底面２Ｄが平面状に展開形成される。
そして収納された栽培土壌３に、所望の栽培野菜の播種や育苗を図るものであって、当然に育成状態に合せて適宜に施肥、潅水或いは消毒等を施すものである。
そして本発明栽培用収納袋２は、栽培土壌３の収納により底部２Ｃには自立性底面２Ｄが平面状に展開形成されるものであり、且自重も多く、従って立設栽培する培地が平坦であったり柔らかく、本発明栽培収納体２の底部２Ｃが安定して載置され、或いは培地に埋入、或いは防風のためのハウス内での使用では、そのままでの使用も考えられるが、新たに立設しようとする培地条件としては傾斜地や培地の凹凸、土質の硬さ、耕地や未耕地等多様であるため、自立性を保持させるための手段も必要となる。
加えて提案されることは、本発明栽培収納袋２において所望の栽培をなした後の収穫に際しては該栽培用収納袋２を倒し栽培土壌３を廃出させることも可能であるが、却って手間が掛ることが考えられることから、栽培用収納袋２を形成している合成樹脂フィルム材２Ａを破砕させる方法や、或いは該栽培用収納袋２を形成している合成樹脂フィルム材２Ａの適宜一側面に、栽培土壌排出ファスナー２Ｇを設けることでもある。そして合成樹脂フィルム材２Ａを破砕させる方法では、再使用に際してその破砕部分を粘着テープ等で貼合させることがなされる。
【００２１】  図５は本発明栽培用収納袋２による実用使用態様図であって、本発明栽培用収納袋２は、その底部２Ｃに内部収納により水平状に自立性底面２Ｄが設けられてなるから、多様な培地条件下でも自立性は発揮されるが、特にハウス等の防風対策のなされる場所はともなく、露地面での自立性による立設では倒壊の危険もあることから本発明栽培用包装体２の立設保持のため立設保持棚４の配設が好適である。
この立設保持棚４は図面からも理解される如く、合成繊維ロープ４Ａを、立設される栽培用収納体２の高さの略１／２乃至２／３の相当位置に、縦方向及び横方向に且その交又枡４Ｂ内に栽培用収納袋２が挿通保持されるよう配位させるものである。
【００２２】  扨て図６は本発明栽培用収納袋２における底部２Ｃに形成される自立性底面２Ｄの熔着形成１Ｆとその形成素材たる合成樹脂フィルム材２Ａの調整折合２０Ｂとの関係について説明する。
即ち図６のＡにおいては収納に伴って膨らみを生成する合成樹脂フィルム材２Ａが示されてなり且この合成樹脂フィルム材２Ａの底部２Ｃには、収納とともに水平状に且所定の面積に自立性底面２Ｄが熔着形成１Ｆされている。
ところで自立性底面２Ｄの熔着形成１Ｆに際しては、同図Ａに示す如く合成樹脂フィルム材２Ａの周長Ｌ１に対し自立性底面２Ｄの周長Ｌ２は可成り短かい。そしてかかる自立性底面２Ｄは合成樹脂フィルム材２Ａと強固に熔着形成１Ｆされるとともに、収納物により平面状に展開形成せしめて自立性を創出させるため十分に強靭に形成させることが望まれる。
【００２３】  そしてかかる底部２Ｄに熔着形成１Ｆされる自立性底面２Ｄは円形状でも正方形若しくは直方形でも自立性の創出は可能なるも、本発明における前期輸送用収納袋１でも栽培用収納袋２を形成する合成樹脂フィルム材１Ａ若しくは２Ａは通状インフレーション成形法で連続的に生産されるものであるから、本発明における自立性底面１Ｄや２Ｄも連続的に且熔着形成１Ｆさせるうえからは同図６のＢ及びＣにおいて説明の如く正方形若しくは直方形が望まれる。
【００２４】  そこで図６のＢに示す如く合成樹脂フィルム材２Ａを底部２Ｃに形成される自立性底面２Ｄの幅長と同寸法で調整折合２０Ｂを形成させる。かくして調整折合２０Ｂされた合成樹脂フィルム材２Ａを自立性底面２Ｄの形成分を含めて裁断し、底部２Ｄより一方側に折合することで自立性底面２Ｄが現出される。
而してこの現出された自立性底面２Ｄの外周囲を熔着形成１Ｆさせ、更には該自立性底面２Ｄの補強が必要の場合には該自立性底面２Ｄに、対向方向に若しくは交差方法に補強熔着形成１０Ｆを形成させる。
当然に調整折合２０Ｂの折合線２１Ｂは底部２Ｃにまで内包されている。
而してかかる自立性底面２Ｄが形成されたうえは、収納前の展開側面は図Ｃの如くとなる。
【符号の説明】
【００２５】    １      輸送用収納袋
１Ａ    合成樹脂フィルム材
１Ｂ    開口部
１Ｃ    底部
１Ｄ    自立性底面
１Ｅ    折畳
１Ｆ    熔着形成
２      栽培用収納袋
２Ａ    栽培用収納袋の合成樹脂フィルム材
２Ｂ    栽培用収納袋の開口部
２Ｃ    栽培用収納袋の底部
２Ｄ    栽培用収納袋の自立性底面
１０Ｂ  調整折合部
１０Ｆ  補強熔着形成
２０Ｂ  調整折合部
２１Ｂ  折合線
【図１】
2017024795.tif 000003
【図２】
2017024795.tif 000004
【図３】
2017024795.tif 000005
【図４】
2017024795.tif 000006
【図５】
2017024795.tif 000007
【図６】
2017024795.tif 000008